(57)【特許請求の範囲】
【請求項１】
導電性資材によりシート状又はネット状に形成された面電極（４）の上下両面に不織布（５ａ，５ｂ）を重ね合わせ、これら重ね合わせ部の外周部を除く内周部をニードルパンチ加工して該内周部に位置する上下の不織布（５ａ，５ｂ）の繊維同士を互いに絡ませることにより、外周部（３ａ）の面電極（４）と上下の不織布（５ａ，５ｂ）とが互いに分離した複数の面電極ユニット（３−１，３−２）を設け、各面電極ユニット（３−１，３−２）の外周部（３ａ，３ａ）の面電極（４，４）同士を互いに重ね合せるとともに、該重ね合わせた面電極（４，４）を前記外周部（３ａ，３ａ）の上下の不織布（５ａ，５ｂ）により被覆し、該外周部（３ａ，３ａ）をニードルパンチ加工して該外周部に位置する上下の不織布（５ａ，５ｂ）の繊維同士を互いに絡ませてなることを特徴とする漏水検知用面電極ユニット。
【請求項２】
上面側の不織布（５ａ）は親水基を有する繊維により形成したことを特徴とする請求項１記載の漏水検知用面電極ユニット。
【発明の詳細な説明】
【０００１】
【発明の属する技術分野】
本発明は、例えば廃棄物処理場の遮水シートの下面に敷設して遮水シートの破損箇所を検知する漏水検知用面電極ユニットに関するものである。
【０００２】
【従来の技術】
従来の技術として、樹脂あるいは不織布製の保護マットの上面にアルミニュームシート製の面電極を接着剤で固着してなる面電極ユニットを設け、この面電極ユニットを廃棄物処理場の地面（底面）に敷設し、該面電極ユニットの上に遮水シートを敷設するようにしたものがあった。
【０００３】
【発明が解決しようとする課題】
上記従来のものは、面電極が直接廃棄物処理場の地面（底面）に接触しなくなるため、該地面の起伏あるいは突起物等によって面電極が損傷されなくなる。しかしながら、面電極が保護マットの上面に位置しているため、面電極ユニットを廃棄物処理場に敷く際、及び面電極ユニットの上面に遮水シートを敷く際に作業者の靴、工具等の障害物が面電極に接触して該面電極が破損したり、敷設作業が迅速にできなくなったりする欠点があった。また、面電極を接着剤で保護マットに固着すると、接続箇所の面電極が保護マットから剥離し難くなり、面電極同志の接続が困難になる欠点があった。本発明は上記欠点を解消した新規な漏水検知用面電極ユニットを得るこを目的とする。
【０００４】
【課題を解決するための手段】
本発明は上記目的を達成するために、以下の如く構成したものである。即ち、導電性資材によりシート状又はネット状に形成された面電極の上下両面に不織布を重ね合わせ、これら重ね合わせ部の外周部を除く内周部をニードルパンチ加工して該内周部に位置する上下の不織布の繊維同士を互いに絡ませることにより、外周部の面電極と上下の不織布とが互いに分離した複数の面電極ユニットを設け、各面電極ユニットの外周部の面電極同士を互いに重ね合せるとともに、該重ね合わせた面電極を前記外周部の上下の不織布により被覆し、該外周部をニードルパンチ加工して該外周部に位置する上下の不織布の繊維同士を互いに絡ませる構成にしたものである。この場合、前記上面側の不織布は親水基を有する繊維により形成するとよい。
【０００５】
【発明の実施の形態】
以下本発明の実施例を図面に基いて説明する。図において、図１は本発明を廃棄物処理場に適用した状態を示す略画した断面図、図２は本発明による面電極ユニットの要部拡大断面図、図３は本発明による面電極ユニットの第１例による製造方法を示す略画した側面図、図４は本発明による面電極ユニットの第２例による製造方法を示す略画した側面図、図５は本発明による面電極ユニットの部分平面図、図６はそのVI-VI線による部分拡大断面図、図７は面電極ユニット同志の接続部を示す部分平面図、図８はそのVIII-VIII断面図、図９は補強シート付き面電極の拡大断面図、図１０は他の補強シート付き面電極の拡大断面図である。
【０００６】
図１において、１は廃棄物処理場であり、所定深さに掘った凹部２の底面全面に、面電極４の上下両面を不織布５ａ，５ｂで覆ったシート状の面電極ユニット３を敷き、この面電極ユニット３の上面にゴム系あるいは合成樹脂系の非通水性のシート、即ち遮水シート６を敷く。この遮水シート６により上記凹部２に収容した廃棄物７によって汚染された汚水が地下に浸透するのを防止する。また、計測器８により、定期的に上記面電極４と凹部２に収容した廃棄物７間の電気的特性値を測定し、遮水シート６の破損、接合部等の不良の有無を判定する。９は移動電極であり、水平方向に移動させて廃棄物７上部の各測定点に差し込み、これらの部と上記面電極４間との自然電位、交流インピーダンス、交流電流値、直流電流値等の電気的特性値を測定するためのものである。
【０００７】
前述した面電極ユニット３は、図２に示すように、アルミニュームシート、ステンレスメッシュ、あるいは導電シート等からなる面電極４の上下両面に上面不織布５ａ及び下面不織布５ｂを重ね合わせ、両不織布５ａ，５ｂ内の繊維を互いに絡ませて上記面電極４を挾持してなる。この場合、下面不織布５ｂの厚さは上面不織布５ａよりも若干厚くするとよい。
【０００８】
図３は上記面電極ユニット３の第１例による製造方法を示す。図３において、１０は上段に配置した第３ドラムであり、この第３ドラム１０の下方に第２ドラム１１、第１ドラム１２を順次平行に配置し、第３ドラム１０及び第１ドラム１２にはニードルパンチ加工されて密度が比較的高くなった帯び状の上面不織布５ａ及び下面不織布５ｂを巻き付け、第２ドラム１１にはアルミニュームシートにより帯び状に形成された面電極４を巻き付ける。
【０００９】
上記上面不織布５ａは、親水基を有する繊維、例えばナイロン繊維、アクリル繊維により形成し、吸水性及び吸湿性の機能を持たせる。これにより、前述した遮水シート６の破損、接合部等の不良箇所から漏洩した水を上面不織布５ａ内で捕捉し、この部分の導電性が高くなるようにして計測器８による遮水シート６の漏洩箇所の判定を容易にする。
【００１０】
また、上記第１ドラム１２の右方にベルトコンベヤ型のフィールドエプロン１３を、該フィールドエプロン１３の右方にニードルパンチ１４を、該ニードルパンチ１４の右方にデリバリロール１５をそれぞれ配置する。
【００１１】
そして、上記各ドラム１０〜１２から上面不織布５ａ、下面不織布５ｂ及び面電極４を引き出しながらこれらをフィールドエプロン１３上で互いに重ね合わせ、右方のニードルパンチ１４に向けて移動させる。次いで上記ニードルパンチ１４を上下動させてそのニードル１４ａを上面不織布５ａ側から面電極４、下面不織布５ｂに向けて突き刺し、上面不織布５ａ内の繊維と下面不織布５ｂ内の繊維とを互いに絡ませて上下面不織布５ａ，５ｂを接合し、該上下面不織布５ａ，５ｂにより上記面電極４を挾持して面電極ユニット３を形成し、該形成された面電極ユニット３をデリバリロール１５により右方に向けて引き出す。
【００１２】
図４は面電極ユニット３の第２例による製造方法を示す。図４において、１２は下段に配置した第１ドラムであり、この第１ドラム１２にニードルパンチ加工されて密度が比較的高くなった帯び状の下面不織布５ｂを巻き付ける。上記第１ドラムの上方に第２ドラムを配置し、この第２ドラム１１にアルミニュームアルミニュームシートにより帯び状に形成された帯び状の面電極４を巻き付ける。また上記第２ドラム１１の上方に載置棚（図示省略）を配置し、この載置棚に密度の小さいウエブ状の上面不織布５ａを折返し積層して（折り畳んで）載置する。
【００１３】
そして、上記載置棚及び各ドラム１１〜１２から上面不織布５ａ、面電極４、下面不織布５ｂを引き出しながらこれらをフィールドエプロン１３上で互いに重ね合わせ、右方のニードルパンチ１４に向けて移動させる。次いで前述した第１例と同様に、ニードルパンチ１４を上下動させてそのニードル１４ａを上面不織布５ａ側から面電極４、下面不織布５ｂに向けて突き刺し、上面不織布５ａ内の繊維と下面不織布５ｂ内の繊維とを互いに絡ませて上下面不織布５ａ，５ｂを接合し、該上下面不織布５ａ，５ｂにより上記面電極４を挾持して面電極ユニット３を形成し、該形成された面電極ユニット３をデリバリロール１５により右方に向けて引き出す。
【００１４】
上記面電極ユニット３は、図５、図６に示すように、左右の幅Ｌが約２０００ｍｍ、長さが５０００ｍｍ〜１００００ｍｍとなる帯び状に形成し、外周部３ａ（左右端部及び長手方向両端部）を除く内周部をニードルパンチ加工して上下面の不織布５ａ，５ｂ内の繊維を互いに絡ませて面電極４を挾持する。上記外周部３ａの幅Ｌ２は約１００ｍｍとする。このようにすれば、図６に示すように、面電極ユニット３の外周部３ａは、その上下面の不織布５ａ，５ｂが分離され、図７、図８に示すように、左右の電極ユニット３−１，３−２同志を接続する際に、両者の外周部３ａの面電極４，４同志を重ね、この部の上下面の不織布５ａ，５ｂ同志を交互に重ねて接続することが容易にできる。
【００１５】
なお、上記面電極ユニット３のニードルパンチ加工は、全面に亘って行うようにしてもよい。また、面電極４は、図９に示すように、補強布４ｂの上面にアルミ泊４ａを固着したもの、あるいは図１０に示すように、樹脂フィルム４ｃの上面にアルミ泊４ａを固着したものとし、補強布４ｂ、樹脂フィルム４ｃにより引っ張り力を受け持たせるようにしてもよい。この場合には、上下面不織布５ａ，５ｂは安価な低張力のものを使用することができる。
【００１６】
【発明の効果】
以上の説明から明らかな如く、本発明による面電極ユニットは、面電極の上下両面を上面不織布及び下面不織布により包囲するようにしたので、敷設作業時に面電極の下面が廃棄物処理場等の地面（底面）に接触しなくなるとともに、作業者の靴、工具等の障害物が面電極の上面に接触しなくなり、該面電極が損傷しなくなるとともに、上記敷設作業が迅速にできる。
また、上面不織布及び下面不織布で面電極をはさみ、これらをニードルパンチ加工して上下面側の不織布内の繊維を互いに絡ませて接合するようにしたので、上記三者が適度の力で接合され、敷設する際に上下面側の不織布が不用意に剥離しなくなるとともに、接続箇所の上下面の不織布を容易に分離することができ、面電極ユニット同志の接続が容易に行えることになる。この場合、外周部を除く内周部のみをニードルパンチ加工すれば、上記面電極ユニット同志の接続がさらに容易に行えることになる。
また、帯び状の上面不織布、面電極、下面不織布を繰り出しながらこれらを互いに重ね合わせ、該重ね合わせ部をニードルパンチ加工するようにしたので、面電極ユニットを効率よく生産性することができる。
【図面の簡単な説明】
【図１】本発明を廃棄物処理場に適用した状態を示す略画した断面図である。
【図２】本発明による面電極ユニットの要部拡大断面図である。
【図３】本発明による面電極ユニットの第１例による製造方法を示す略画した側面図である。
【図４】本発明による面電極ユニットの第２例による製造方法を示す略画した側面図である。
【図５】本発明による面電極ユニットの部分平面図である。
【図６】図５のVI-VI線による部分拡大断面図である。
【図７】面電極ユニット同志の接続部を示す部分平面図である。
【図８】図７のVIII-VIII断面図である。
【図９】補強シート付き面電極の拡大断面図である。
【図１０】他の補強シート付き面電極の拡大断面図である。
【符号の説明】
１    廃棄物処理場
２    凹部
３    面電極ユニット
３ａ  外周部
４    面電極
５ａ  上面不織布
５ｂ  下面不織布
６    遮水シート
７    廃棄物
８    計測器
９    移動電極
１０    第３ドラム
１１    第２ドラム
１２    第１ドラム
１３    フィールドエプロン
１４    ニードルパンチ
１４ａ  ニードル
１５    デリバリロール
【図１】
0003683055.tif 000002
【図２】
0003683055.tif 000003
【図３】
0003683055.tif 000004
【図４】
0003683055.tif 000005
【図５】
0003683055.tif 000006
【図６】
0003683055.tif 000007
【図７】
0003683055.tif 000008
【図８】
0003683055.tif 000009
【図９】
0003683055.tif 000010
【図１０】
0003683055.tif 000011